(57)【特許請求の範囲】
【請求項１】
マッサージ機構を内蔵して人体患部に刺激を与える施療部を備えたヘッド部と、このヘッド部から左右に夫々延びた一対のハウジングと、各ハウジングに付設された左右方向に伸長自在なアームと、弾性を有する上記各アーム先端に設けられたグリップ部とからなり、各グリップ部はアームを縮めた時に各ハウジング端部に被さるものであることを特徴とするマッサージ機。
【請求項２】
施療部はその人体患部との接触面が凹面となっていることを特徴とする請求項１記載のマッサージ機。
【請求項３】
マッサージ機構は偏心分銅とこの偏心分銅を回転させるモータとからなり、モータ及び偏心分銅の回転軸は施療部の人体患部との接触面と直交する向きとなっているとともにモータは弾性体を介して固定されていることを特徴とする請求項１または２記載のマッサージ機。
【請求項４】
マッサージ機構への給電用の電源コードはハウジングの端部から外部に引き出されているとともに、該引出し方向が施療部の人体患部との接触面と直交する方向と平行となっていることを特徴とする請求項１〜３のいずれかの項に記載のマッサージ機。
【請求項５】
アームのハウジングに対する伸長を途中段階で固定するロック手段を備えていることを特徴とする請求項１〜４のいずれかの項に記載のマッサージ機。
【発明の詳細な説明】
【０００１】
【発明の属する技術分野】
本発明はマッサージ機構を備えたヘッド部から手で持つためのグリップ部を延出している手持ち型のマッサージ機に関するものである。
【０００２】
【従来の技術】
図７は振動式のマッサージ機構を内蔵したヘッド部１が一端に設けられた棒状ハウジング２の他端部をグリップ部３としている手持ち型のマッサージ機を示しており、グリップ部３を保持することで、ヘッド部１における施療部１０（この場合はヘッド部１の外周面）を患部に当てて人体へのマッサージ刺激を行う。
【０００３】
このマッサージ機の場合、患部が肩や首であれば使い勝手は良いが、腰や背中にマッサージ刺激を与えようとすると、ヘッド部１の施療部１０を患部に当てた状態を保つことはきわめて困難である。
【０００４】
図８及び図９は他の従来例を示しており、ソレノイドを利用した叩打式のマッサージ機構を内蔵したヘッド部１が一端に設けられた棒状ハウジング２の他端部がグリップ部３となっているこのマッサージ機では、ハウジング２からヘッド部１にかけて、弾性体からなるアーム４がスライド自在に納められているとともに、アーム４の先端にはグリップ部３’が設けられており、アーム４をハウジング２から引き出せば、一方の手でグリップ部３を、他方の手でグリップ部３’を持つことができるものとなるために、背中や腰にヘッド部１の施療部１０，１０を当てた状態を容易に保つことができる。
【０００５】
【発明が解決しようとする課題】
しかし、上記アーム４を備えたものにおいては、ハウジング２とアーム４とで剛性（弾性）が異なるために、背中や腰にヘッド部１の施療部１０，１０を適切に当てることが難しくて均一なマッサージができず、効果的なマッサージを得るという点において、使い勝手の上で問題を残している。
【０００６】
本発明はこのような点に鑑みなされたものであって、その目的とするところは肩や首はもちろん、腰や背中に対しても適切なマッサージを容易に行うことができるマッサージ機を提供するにある。
【０００７】
【課題を解決するための手段】
しかして本発明に係るマッサージ機は、マッサージ機構を内蔵して人体患部に刺激を与える施療部を備えたヘッド部と、このヘッド部から左右に夫々延びた一対のハウジングと、各ハウジングに付設された左右方向に伸長自在なアームと、弾性を有する上記各アーム先端に設けられたグリップ部とからなり、各グリップ部はアームを縮めた時に各ハウジング端部に被さるものであることに特徴を有している。
【０００８】
左右のグリップ部とヘッド部との間が左右で同じとなるために、ヘッド部の施療部を背中や腰といった患部に適切に当てることができる。
【０００９】
ここで、上記施療部はその人体患部との接触面を凹面としておくとよい。半径２００〜６００ｍｍの凹面としておけば、施療部を背中や腰、太股等の狙いの患部部分に合わせることが容易となる。
【００１０】
マッサージ機構が偏心分銅とこの偏心分銅を回転させるモータとからなるものである時、モータ及び偏心分銅の回転軸は施療部の人体患部との接触面と直交する向きとするとともにモータは弾性体を介して固定しておけば、ハウジングを介してグリップ部に伝わる振動を小さくすることができる。
【００１１】
また、マッサージ機構への給電用の電源コードはハウジングの端部から外部に引き出すとともに、該引出し方向を施療部の人体患部との接触面と直交する方向と平行としておくことで、電源コードが使用時に邪魔になることがない。
【００１２】
さらにアームのハウジングに対する伸長を途中段階で固定するロック手段を設けておくと、施療部を任意の患部に当てることがさらに容易となる。
【００１３】
【発明の実施の形態】
以下本発明を実施の形態の一例に基づいて詳述すると、図１及び図２において、図中１はマッサージ機構を内蔵しているヘッド部であり、ヘッド部１の一面には人体患部に接触させる施療部１０が設けられている。そして、ヘッド部１の左右に円弧状のハウジング２０，２０が伸びており、各ハウジング２０の端部にはグリップ部３が配されている。なお、図示例においては、ヘッド部１の外殻と両ハウジング２０，２０とを一体のハウジング２によって形成している。
【００１４】
上記マッサージ機構は弾性体１５を介して固定されたモータ１１と、このモータ１１の出力軸に固着された偏心分銅１２とからなるもので、施療部１０を人体患部に当接させた状態でモータ１１を駆動すれば、偏心分銅１２の回転による振動刺激が人体患部に与えられる。なお、モータ１１及び偏心分銅１２の回転軸は、施療部１０における人体患部に当接させる面と直交する方向としてあるために、上記振動刺激は、人体に対し、さすりマッサージの感をなすものとなる。また、モータ１１は上述のように弾性体１５を介して取りつけられているために、グリップ部３側に伝わる振動は少なく、長時間使用してもグリップ部３を持つ手がしびれたり疲れたりすることがないようになっている。
【００１５】
上記弾性体１５として、図示例ではコイルばねを用いているが、その他、ゴム等のエラストマーであってもよく、要はマッサージ機構が発する振動のショックアブソーバーとして機能するものであればよい。
【００１６】
ハウジング２の両端に配されたグリップ部３，３は、ハウジング２に固定されたものではなく、各ハウジング２０，２０に対して個別にスライド自在に装着されたアーム４，４の端部に固定されたものであり、図１に示すハウジング２の両端部に夫々グリップ部３が被さっている状態のほかに、図３に示すように、いずれか一方のアーム４を引き伸ばした状態や両方のアーム４を共に引き伸ばした状態を得ることができ、この時、グリップ部３はアーム４の伸長に応じてその位置が変化する。
【００１７】
背中や腰のマッサージを行いたい場合には、図４あるいは図５に示すように、両アーム４，４を引き出した状態でグリップ部３，３を握り、背側にまわしたヘッド部１の施療部１０を背中や腰の患部に当てればよい。無理のない姿勢で施療部１０を患部に当てることができる上に、施療部１０を患部に適切に当てることができる。また、ヘッド部１と左右のグリップ部３，３との間は左右で同じ構成であるために、施療部１０が患部の片側にだけ強く当たるというようなことがなく、均一なマッサージを得ることができ、さらにはアーム４，４を撓ませることにより、背中の幅や腰の幅が異なる人が使用しても、図からも明らかなように、無理なくマッサージを行うことができる。
【００１８】
加えるに、ここで示した施療部１０は、左右方向において湾曲した凹面となっており、このために施療部１０を背中や腰、太股といった狙いの患部に合わせやすく、しかも患部の広い範囲を同時に施療することができるものであり、使用者にとっては見えない部分である背中や腰に対するマッサージを的確に行うことができるほか、人体表面に沿って施療部１０を移動させることも容易である。なお、上記施療部１０の凹面は、その半径Ｒを２００〜６００ｍｍ程度としておくのが好ましい。
【００１９】
ここで、モータ１１への給電のための電源コード９は、一方のハウジング２０の端部から外部に引き出しているのであるが、この引出し方向は、施療部１０の人体患部との接触面と直交する方向Ｍと平行として、使用時に電源コード９が人体に当たることがないようにしてある。
【００２０】
図６に他例を示す。これはハウジング２０に形成された蟻溝型の溝にスライド自在に係合しているアーム４外面に鋸歯状の係止部４１を形成するとともに、ハウジング２０側に係止部４１と係止するストッパー２８を設けて、アーム４の引き出し方向の動きについては、ストッパー２８でロックをかけることができるようにしたものであり、摘み部２６が一体となっているストッパー２８はハウジング２０に取り付けた保持板２５によって保持されるとともに、ばね２７によって係止部４１との係止方向に付勢されたものとなっている。
【００２１】
ハウジング２０からアーム４を引き出したいときには、摘み部２６をつまんでばね２７に抗してストッパー２８を引っ張ることで、ストッパー２８と係止部４１との係止を外す。アーム４を戻したいときには、そのままアーム４を押し込めばよい。図中８はスライドスイッチ８０用のレバー８である。
【００２２】
グリップ部３、３を両手で握って施療部１０を患部に当てる場合、グリップ部３には引っ張る方向の力が加えられるが、この力に対し、アーム４のハウジング２０からの引き出し量を任意の状態に固定しておけるものであり、このために、使用者の体格や患部の違い等に対しても、良好な使い勝手を得ることができるものである。
【００２３】
【発明の効果】
以上のように本発明においては、マッサージ機構を内蔵して人体患部に刺激を与える施療部を備えたヘッド部と、このヘッド部から左右に夫々延びた一対のハウジングと、各ハウジングに付設された左右方向に伸長自在なアームと、弾性を有する上記各アーム先端に設けられたグリップ部とからなるために、左右のグリップ部とヘッド部との間が左右で同じとなっており、しかもアームが弾性を有して伸長させることができることから、ヘッド部の施療部を背中や腰といった患部に適切に当てることができるものであり、効果的なマッサージを確実に且つ容易に得ることができるものである。
【００２４】
また、上記施療部の人体患部との接触面が凹面となっておれば、施療部を背中や腰、太股等の狙いの患部部分に合わせることがさらに容易となる。
【００２５】
マッサージ機構が偏心分銅とこの偏心分銅を回転させるモータとからなるものである時、モータ及び偏心分銅の回転軸は施療部の人体患部との接触面と直交する向きとすることで、さすりマッサージを得ることができ、さらにモータは弾性体を介して固定しておけば、ハウジングを介してグリップ部に伝わる振動を小さくすることができるために、長時間の使用にも保持に問題が生じることがない。
【００２６】
また、マッサージ機構への給電用の電源コードはハウジングの端部から外部に引き出すとともに、該引出し方向を施療部の人体患部との接触面と直交する方向と平行としておくことで、電源コードが使用時に邪魔になることがないものとなる。
【００２７】
さらにアームのハウジングに対する伸長を途中段階で固定するロック手段を設けておくと、施療部を任意の患部に当てることがさらに容易となる。
【図面の簡単な説明】
【図１】本発明の実施の形態の一例の正面図である。
【図２】同上の断面図である。
【図３】（ａ）（ｂ）（ｃ）は同上のアームの伸長状態を示す正面図である。
【図４】同上の使用状態の説明図である。
【図５】同上の使用状態の説明図である。
【図６】他例の部分断面図である。
【図７】従来例の斜視図である。
【図８】他の従来例の正面図である。
【図９】同上の斜視図である。
【符号の説明】
１  ヘッド部
２  ハウジング
３  グリップ部
４  アーム
１０  施療部
【図１】
0003633324.tif 000002
【図２】
0003633324.tif 000003
【図３】
0003633324.tif 000004
【図４】
0003633324.tif 000005
【図５】
0003633324.tif 000006
【図６】
0003633324.tif 000007
【図７】
0003633324.tif 000008
【図８】
0003633324.tif 000009
【図９】
0003633324.tif 000010